(57)【要約】【課題】外壁パネルの外壁面材とパネルフレームとの接合において、外壁面材の肉厚寸法が小さいような場合であっても、パネルフレームないしはパネルフレーム取付け用の部品を外壁面材の背面側からのネジの強制的なねじ込みによって、ネジの先端位置と外壁面材の正面位置との間に必要な距離をおきながらも、しっかりと取り付けることができる、外壁面材背面部への部品の取付け構造を提供する。【解決手段】下穴４が外壁面材１の背面部に開口して設けられ、部品２が、前記下穴４内への頭付き平先ネジの強制的ねじ込みにより取り付けられている。【選択図】      図１
2004300853.tif 000002
【特許請求の範囲】
【請求項１】
下穴が外壁面材の背面部に開口して設けられ、部品が、前記下穴内への頭付き平先ネジの強制的ねじ込みにより取り付けられていることを特徴とする外壁面材背面部への部品の取付け構造。
【請求項２】
前記部品が、外壁パネルフレーム、又は、該フレーム取付け用の部品からなる請求項１に記載の外壁面材背面部への部品の取付け構造。
【請求項３】
外壁面材の背面部に、下地材が、接着剤で接着され、かつ、下地材を貫通し外壁面材の肉内に強制的にねじ込まれた頭付きネジで接着面を押し合わせるようにして取り付けられており、
該下地材の背面部に外壁面材の肉内に達する下穴が設けられ、部品が、該下穴への頭付き平先ネジの強制的ねじ込みにより取り付けられ、その取付け状態において、前記平先ネジは下地材の肉及び外壁面材の肉の両方にねじ付けられている、外壁面材背面部への部品の取付け構造。
【請求項４】
外壁面材にその背面部に開口する下穴を設け、頭付き平先ネジを用い、部品を前記下穴内への頭付き平先ネジの強制的ねじ込みにより取り付ける外壁面材背面部への部品の取付け方法。
【請求項５】
下穴が取付け側の面部に開口して設けられ、部品が、該下穴内への頭付き平先ネジの強制的ねじ込みにより取り付けられている、部品の取付け構造。
【発明の詳細な説明】
【０００１】
【発明の属する技術分野】
本発明は、外壁面材背面部などへの部品の取付け構造及び取付け方法に関する。
【０００２】
【関連する技術】
外壁パネルの窯業系外壁面材とパネルフレームとの接合に関し、本発明者は、図６に示すように、パネルフレームないしはパネルフレームを取り付ける部品５１を、頭付きトガリ先ネジ５２を用い、この頭付きトガリ先ネジ５２を外壁面材５３の背面側から外壁面材５３の肉内に強制的にねじ込んでいくことにより取付けできるかどうかの確認試験を実施した。
【０００３】
もちろん、試験は、ネジ５２の先端が外壁面材５３の正面側から突出するものであってはならないし、ネジ５２の先端位置が外壁面材の正面側に近すぎて、外壁面材１の正面部に欠けや割れを生じさせるおそれがあるものであってはならないという条件のもとで行われた。
【０００４】
具体的には、最小厚さ寸法が１２ｍｍの窯業系外壁面材と、最小厚さ寸法が１６ｍｍの窯業系外壁面材とについて、頭付きトガリ先ネジ５２の先端位置と外壁面材５３の正面位置との間隔寸法が３ｍｍとなる深さまで、このネジ５２を外壁面材５３の肉内に強制的にねじ込んで部品５１の取付けを行った。
【０００５】
その結果、最小厚さ寸法が１６ｍｍの窯業系外壁面材については、ネジ１本で１００Ｋｇｆの引張り強度を得られて取付け強度の最低条件を満足するとの結果を得ることができたが、最小厚さ寸法が１２ｍｍの窯業系外壁面材については、ネジ１本で４０Ｋｇｆの引張り強度しか得られず、取付け強度の最低条件を下回る結果しか得られなかった。
【０００６】
本発明は、上記のような背景において、例えば上記のように、外壁パネルの外壁面材とパネルフレームとの接合において、外壁面材の肉厚寸法が小さいような場合であっても、パネルフレームないしはパネルフレーム取付け用の部品を外壁面材の背面側からのネジの強制的なねじ込みによって、ネジの先端位置と外壁面材の正面位置との間に必要な距離をおきながらも、しっかりと取り付けることができ、しかもそれを容易に行うことができる、外壁面材背面部への部品の取付け構造等を提供することを課題とする。
【０００７】
【課題を解決するための手段】
上記の課題は、下穴が外壁面材の背面部に開口して設けられ、部品が、前記下穴内への頭付き平先ネジの強制的ねじ込みにより取り付けられていることを特徴とする外壁面材背面部への部品の取付け構造によって解決される。
【０００８】
また、外壁面材にその背面部に開口する下穴を設け、頭付き平先ネジを用い、部品を前記下穴内への頭付き平先ネジの強制的ねじ込みにより取り付ける外壁面材背面部への部品の取付け方法によって解決される。
【０００９】
これら取付け構造及び取付け方法では、部品取付け用のネジが、先端平の平先ネジからなっており、この平先ネジが外壁面材の肉内に強制的にねじ込まれて部品が取り付けられているので、ネジの先端位置と外壁面材の正面位置との間に必要な距離をおきながらも、ネジと外壁面材の肉とのかかり深さを深くすることができ、それにより、外壁面材の肉厚寸法が小さいような場合であっても、ネジの引抜き強度を高くすることができ、部品を外壁面材の背面側にしっかりと取り付けることができる。
【００１０】
しかも、下穴が外壁面材の背面部に開口して設けられているので、上記のような平先ネジを使用する場合であっても、外壁面材の肉内へのねじ込みを容易に行うことができる。
【００１１】
この発明において、部品は、外壁パネルフレームやパネルフレーム取付け用の部品以外のものであってもよいが、外壁パネルフレーム、又は、該フレーム取付け用の部品である場合は、外壁面材が肉薄のものからなっていても、外壁パネルフレームをそのような外壁面材の背面側にしっかりと取り付けることができる。
【００１２】
また、上記の課題は、外壁面材の背面部に、下地材が、接着剤で接着され、かつ、下地材を貫通し外壁面材の肉内に強制的にねじ込まれた頭付きネジで接着面を押し合わせるようにして取り付けられており、
該下地材の背面部に外壁面材の肉内に達する下穴が設けられ、部品が、該下穴への頭付き平先ネジの強制的ねじ込みにより取り付けられ、その取付け状態において、前記平先ネジは下地材の肉及び外壁面材の肉の両方にねじ付けられている、外壁面材背面部への部品の取付け構造によっても解決される。
【００１３】
この発明では、下地材が外壁面材の背面部に単に接着剤で接着されているだけではなく、下地材を貫通し外壁面材の肉内に強制的にねじ込まれた頭付きネジで接着面を押し合わせるようにして取り付けられているので、下地材と外壁面材との一体性を非常に高いものにすることができる。そして、外壁面材との一体性をこうした高められた下地材の背面部に外壁面材の肉内に達する下穴が設けられ、部品が、該下穴への頭付き平先ネジの強制的ねじ込みにより取り付けられ、その取付け状態において、平先ネジは下地材の肉及び外壁面材の肉の両方にねじ付けられている構造となされているので、部品を取り付けている平先ネジのかかり深さが、外壁面材の肉部分におけるかかり深さと、下地材の肉部分におけるかかり深さの合計となり、平先ネジのかかり深さをより一層深くすることができて、外壁面材の肉厚寸法が小さいような場合であっても、ネジの先端位置と外壁面材の正面位置との間に必要な距離をおきながら、部品を外壁面材の背面側に信頼性高くしっかりと取り付けることができる。なお、頭付き平先ネジは、下地材と外壁面材とを接合している頭付きネジの近傍でねじ込まれているとよい。
【００１４】
なお、この発明に関連し、外壁面材の背面部に、下地材が、接着剤で接着され、かつ、下地材を貫通し外壁面材の肉内に強制的にねじ込まれた第１頭付きネジで接着面を押し合わせるようにして取り付けられており、
部品が、下地材の背面部への第２頭付きネジの強制的ねじ込みにより取り付けられ、その取付け状態において、該第２頭付きネジは下地材の肉及び外壁面材の肉の両方にねじ付けられている、外壁面材背面部への部品の取付け構造を、本明細書において開示しておく。その場合の第２頭付きネジは、平先ネジであってもよいし、トガリ先ネジであってもよいし、要は、下地材の肉及び外壁面材の肉の両方にねじ付けることができるようなネジであればよい。
【００１５】
また、本発明は、下穴が取付け側の面部に開口して設けられ、部品が、該下穴内への頭付き平先ネジの強制的ねじ込みにより取り付けられている、部品の取付け構造も、その内容の一つとする。即ち、部品の取付け対象は外壁面材以外の面材であってもよいし、面材でなくその他のものであってよい。即ち、本発明によれば、ネジのねじ込み深さを深くできないような様々な場合においてもネジ込み深さを浅くしつつも取付け側の肉へのネジのかかり深さを大きくして部品を取付け側にしっかりと取り付けることができるという作用効果が奏され、産業上の様々な分野において非常に有用である。
【００１６】
【発明の実施の形態】
次に、本発明の実施形態を図面に基づいて説明する。
【００１７】
図１及び図２に示す第１実施形態の取付け構造において、１は取付け側としての外壁面材、２は部品、３は頭付き平先ネジであり、外壁面材１は窯業系からなり、部品２は図示しないパネルフレームを外壁面材１の発面側に取り付けるためのフレーム取付け部品からなっている。
【００１８】
そして、外壁面材１には、図２（ロ）に示すように、その最小厚さ寸法部分において、下穴４が外壁面材１の背面部１ａに開口して設けられられている。外壁面材１の最小厚さ部分の寸法は、例えば１２ｍｍであり、下穴４は、直径が例えば２〜２．５ｍｍで、外壁面材１の正面側１ｂに貫通するように形成されており、平先ネジ３はそのネジ山部分の外径寸法が例えば４．８ｍｍである。
【００１９】
部品２の取付けは、図２（イ）（ロ）に示すように、外壁面材１に下穴４を設け、しかる後、図２（ハ）に示すように、頭付き平先ネジ３を用い、部品２を外壁面材１の背面部の背面部に沿わせ、頭付き平先ネジ３を下穴４内に強制的にねじ込んでいけば、図１（イ）に示すような取付け状態を得られる。ネジ３は先が平の平先ネジであるので、下穴４を設けておくことにより、外壁面材１の肉中に容易にねじ込んでいくことができる。頭付き平先ネジ３のねじ込み深さは、強制ねじ込み完了状態において、平先ネジ３の先端位置と外壁面材１の正面位置との間隔寸法が例えば３ｍｍとなる深さである。
【００２０】
なお、本実施形態では、下穴４が外壁面材１を貫通するように設けられているので、平先ネジ３の打込みを行った後も、外壁面材１の正面部１ｂに下穴４が開口するが、この下穴４の開口部は、上記のように、直径が例えば２〜２．５ｍｍの小さな開口であり、図１（ロ）に示すように、穴埋め材５で容易に塞いでおくことができる。
【００２１】
上記の取付け構造では、部品取付け用のネジが、先端平の平先ネジ３からなっており、この平先ネジ３が外壁面材１の肉内に強制的にねじ込まれることで部品２が取り付けられているので、ネジ３の先端位置と外壁面材１の正面位置との間に必要な距離、例えば３ｍｍの距離をおきながらも、ネジ３と外壁面材１の肉とのかかり深さを例えば９ｍｍと深くすることができ、それにより、外壁面材の最小肉厚寸法が１２ｍｍと小さいような場合であっても、ネジ３の引抜き強度を例えば１００Ｋｇｆと従来の４０Ｋｇｆよりもかなり高くでき、部品２を外壁面材１の背面側にしっかりと取り付けることができる。
【００２２】
従ってまた、本実施形態では、部品２が、外壁パネルフレーム取付け用の部品からなっているので、外壁面材１が肉薄のものからなっていても、外壁パネルフレームを外壁面材１の背面側にしっかりと取り付けることができる。
【００２３】
また、本実施形態では、下穴４を外壁面材の正面側に貫通させているので、平先ネジ３のねじ込みによって生じる削り屑が外壁面材の正面側に排出され、平先ネジ３のねじ込みをスムーズに行っていくことができる。
【００２４】
図３〜図５に示す第２実施形態の取付け構造は、外壁面材１の背面部１ａへの外壁パネルフレーム取付け用部品２の取付けにおいて、下地材７を用いた場合のものである。
【００２５】
下地材７は、低発泡の発泡ポリスチレン板あるいは珪酸カルシウム板などのネジにかかりを生じさせうるものなっており、該下地材７は、図４（イ）（ロ）（ハ）に示すように、外壁面材１の背面部１ａに接着剤８で接着され、なおかつ、第１頭付きネジとしての頭付きのトガリ先ネジ９が、下地材７を貫通し、外壁面材１の肉内に強制的にねじ込まれて接着剤８による接着面を押し合わせるようにして取り付けられている。なお、この場合のネジ９は、下地材７と外壁面材１との接着剤８による接着性能を高めて両者の一体性を高めるためのものであり、頭付きトガリ先ネジで問題はないが、頭付きトガリ先ネジでなくともよい。
【００２６】
そして、図５（ニ）に示すように、下地材７の背面部に、上記の頭付きのトガリ先ネジ９の近傍に位置して、外壁面材１の肉内に達しかつ外壁面材１の正面に開口する下穴４が設けられ、図５（ホ）及び図３（イ）に示すように、部品２が、第２頭付きネジとしての頭付き平先ネジ３を下穴４に強制的にねじ込むことで取り付けられ、この取付け状態において、平先ネジ３は下地材７の肉及び外壁面材１の肉の両方にねじ付けられるようになされている。
【００２７】
この取付けの構造及び方法では、下地材７が外壁面材１の背面部１ａに単に接着剤８で接着されているだけではなく、下地材７を貫通し外壁面材１の肉内に強制的にねじ込まれた頭付きネジ９で接着面を押し合わせるようにして取り付けられているので、下地材７と外壁面材１との一体性を非常に高いものにすることができる。
【００２８】
そして、外壁面材１との一体性をこうした高められた下地材７の背面部１ａに外壁面材の肉内に達する下穴４が設けられ、部品２が、該下穴４への頭付き平先ネジ３の強制的ねじ込みにより取り付けられ、その取付け状態において、平先ネジ３は下地材の肉及び外壁面材の肉の両方にねじ付けられているようになされているので、部品２を取り付けている平先ネジのかかり深さが、外壁面材１の肉部分におけるかかり深さと、下地材７の肉部分におけるかかり深さの合計となり、平先ネジ３のかかり深さをより一層深くすることができて、外壁面材１の肉厚寸法が小さいような場合であっても、平先ネジ３の先端位置と外壁面材１の正面位置との間に必要な距離をおきながら、部品２を外壁面材１の背面側に信頼性高くしっかりと取り付けることができる。
【００２９】
なお、外壁面材１の正面部１ｂに開口している下穴４は、図１（ロ）に示すように、第１実施形態の場合と同様に、穴埋め材５で塞いでおけばよく、この下穴４のサイズは上述したように非常に小さいので容易に塞ぐことができる。
【００３０】
以上に、本発明の実施形態を示したが、本発明はこれに限られるものではなく、発明思想を逸脱しない範囲で各種の変更が可能である。例えば、上記の実施形態では、外壁面材１が窯業系面材からなる場合を示しているが、コンクリート系の面材であってもよいし、その他の面材からなっていてもよい。
【００３１】
【発明の効果】
本発明は、以上のとおりのものであるから、例えば、外壁パネルの外壁面材とパネルフレームとの接合において、外壁面材の肉厚寸法が小さいような場合であっても、パネルフレームないしはパネルフレーム取付け用の部品を外壁面材の背面側からのネジの強制的なねじ込みによって、ネジの先端位置と外壁面材の正面位置との間に必要な距離をおきながらも、しっかりと取り付けることができ、しかもそれを容易に行うことができる。
【図面の簡単な説明】
【図１】第１実施形態の取付け構造を示すもので、図（イ）は取付け部の断面図、（ロ）は外壁面材の正面側の下穴の開口部処理状態を示す拡大断面図である。
【図２】図（イ）〜図（ハ）は取付け方法を順次に示す断面図である。
【図３】第２実施形態の取付け構造を示すもので、図（イ）は取付け部の断面図、（ロ）は外壁面材の正面側の下穴の開口部処理状態を示す拡大断面図である。
【図４】図（イ）〜図（ハ）は図４（ニ）（ホ）とともに取付け方法を順次に示す断面図である。
【図５】図（ニ）及び図（ホ）は図３（イ）〜（ハ）とともに取付け方法を順次に示す断面図である。
【図６】図（イ）及び図（ロ）は取付け方法の関連技術を示す断面図である。
【符号の説明】
１…外壁面材（取付け側）
２…部品
３…頭付き平先ネジ
４…下穴
７…下地材
８…接着剤
９…頭付きトガリ先ネジ（頭付きネジ）
【図１】
2004300853.tif 000003
【図２】
2004300853.tif 000004
【図３】
2004300853.tif 000005
【図４】
2004300853.tif 000006
【図５】
2004300853.tif 000007
【図６】
2004300853.tif 000008